(57)【要約】【課題】建物の外壁面の傾斜に広く対応できる竪樋支持具を提供する。【解決手段】本発明は、竪樋に嵌着させる環状のバンド部１３を有する竪樋保持部材１１Ａと、この竪樋保持部材１１Ａを建物の外壁面Ｗに固定する固定部材１２Ａとを備えた竪樋支持具１０Ａにおいて、竪樋保持部材１１Ａと固定部材１２Ａとのいずれか一方に固定され、球面部１６を有する嵌合突部１４と、同他方に固定され、嵌合突部１４の球面部１６を嵌合させて該嵌合突部１４を枢支自在に支持する球面座２２を有する嵌合凹部１９とを備え、球面座２２の開口端２３は、嵌合突部１４を嵌合させる方向に向かって嵌合凹部１９の最突出端となる位置に形成されていることを特徴とする。【選択図】図１
2013002113.tif 000002
【特許請求の範囲】
【請求項１】
竪樋に嵌着させる環状のバンド部を有する竪樋保持部材と、この竪樋保持部材を建物の外壁に固定する固定部材とを備えた竪樋支持具において、
前記竪樋保持部材と固定部材とのいずれか一方に固定され、球面部を有する嵌合突部と、
同他方に固定され、前記嵌合突部の球面部を嵌合させて該嵌合突部を枢支自在に支持する球面座を有する嵌合凹部とを備え、
前記球面座の開口端は、前記嵌合突部を嵌合させる方向に向かって嵌合凹部の最突出端となる位置に形成されていることを特徴とする竪樋支持具。
【請求項２】
請求項１に記載の竪樋支持具において、
前記嵌合突部が前記バンド部の外周面から突出するように固定されているとともに、前記バンド部の軸線を含む仮想平面をもって互いに離間接近自在に二分割されていることを特徴とする竪樋支持具。
【請求項３】
請求項１に記載の竪樋支持具において、
前記バンド部が前記嵌合突部との連結部に臨む部分で切断され、かつその切断端同士が凹凸嵌合構造により離間結合可能とされていることを特徴とする竪樋支持具。
【発明の詳細な説明】
【技術分野】
【０００１】
本発明は、竪樋を支持して固定する竪樋支持具に関する。
【背景技術】
【０００２】
建物の外壁に取り付けられる竪樋は、通常、鉛直に立ち上がる外壁面に対して平行に、かつ、鉛直方向を向くように設置されるが、建物によっては、竪樋を取り付ける外壁面が寸法誤差により若干傾斜していたり、傾斜する凹凸面を有していたりすることがある。従来より、このような傾斜する壁面等に対して竪樋を取り付ける竪樋支持具として、例えば下記特許文献１に記載されたもの等が開発されている。
図６に示すように、上記特許文献に記載された竪樋支持具１は、建物の外壁面に固定して突設させる固定部２と、竪樋を支持する支持部３とから構成されている。
固定部２は、外壁面に取り付ける固定板４と、該固定板４から屋外側に突設された軸部５と、この軸部５の先端に設けられた球形係止部６とにより構成されている。また、固定部２には、上記球形係止部６を受ける凹部７を有する支承部８が設けられている。
【０００３】
球形係止部６と支承部８とは、ユニバーサルジョイント構造となっており、支承部８の凹部７に球形係止部６及び軸部５の先端部の全体を嵌入させることにより、支持部３が固定部２に対して上下左右いずれの方向に揺動可能となるように設けられている。
このように構成された竪樋支持部１は、固定部２が外壁面の平坦でない固定部位に固定板４によって固定された際に、支持部３が揺動変位して、竪樋を所定の位置に取り付けることができるようになっている。
【先行技術文献】
【特許文献】
【０００４】
【特許文献１】特開２００４−１４３７８３号公報
【発明の概要】
【発明が解決しようとする課題】
【０００５】
ところで、上記竪樋支持具１は、球形係止部６を受ける部分を支承部８の凹部７の奥まった位置に形成し、球状係止部６及び軸部５の先端部を凹部７内に完全に挿入配置させる構成となっている。したがって、凹部７に球状係止部６を嵌入させた際の球状係止部６の可動範囲が、軸部５の凹部７内における移動可能範囲に制限されてしまうので、固定部２と支持部３との間で角度をもたせ難く、建物の外壁面の傾斜に対応し切れない場合があるという課題があった。
そこで、本発明は、上記問題に鑑みて、建物の外壁面の傾斜に広く対応できる竪樋支持具を提供することを課題とする。
【課題を解決するための手段】
【０００６】
請求項１の発明は、竪樋に嵌着させる環状のバンド部を有する竪樋保持部材と、この竪樋保持部材を建物の外壁に固定する固定部材とを備えた竪樋支持具において、前記竪樋保持部材と固定部材とのいずれか一方に固定され、球面部を有する嵌合突部と、同他方に固定され、前記嵌合突部の球面部を嵌合させて該嵌合突部を枢支自在に支持する球面座を有する嵌合凹部とを備え、前記球面座の開口端は、前記嵌合突部を嵌合させる方向に向かって嵌合凹部の最突出端となる位置に形成されていることを特徴とする。
本発明では、球面座の開口端が、前記嵌合突部を嵌合させる方向に向かって嵌合凹部の最突出端となる位置に形成されているため、嵌合突部を球面座の開口端に当接する位置まで自由に相対移動させることができ、嵌合凹部に対する嵌合突部の可動範囲が大きくなる。
【０００７】
請求項２の発明は、請求項１に記載の竪樋支持具において、前記嵌合突部が前記バンド部の外周面から突出するように固定されているとともに、前記バンド部の軸線を含む仮想平面をもって互いに離間接近自在に二分割されていることを特徴とする。
本発明では、嵌合突部がバンド部の外周面から突出するように固定され、かつバンド部の軸線を含む仮想平面をもって互いに離間接近自在に二分割されているため、該嵌合突部においてバンド部を拡開させて竪樋に装着させることができる。また、嵌合突部を嵌合凹部に嵌合させることによって、竪樋保持部材と固定部材とを連結させると同時に、拡開させたバンド部の切断端部及び嵌合突部同士を連結固定することができる。
【０００８】
請求項３の発明は、請求項１に記載の竪樋支持具において、前記バンド部が前記嵌合突部との連結部に臨む部分で切断され、かつその切断端同士が凹凸嵌合構造により離間結合可能とされていることを特徴とする。
本発明では、バンド部が嵌合突部との連結部に臨む部分で切断され、かつその切断端部同士が凹凸嵌合構造により離間結合可能とされているため、該連結部に臨む部分においてバンド部を拡開させて竪樋に容易に装着させることができる。また、凹凸嵌合構造により、バンド部の切断端部を容易に係止することができる。
【発明の効果】
【０００９】
本発明に係る竪樋支持具によれば、球面座の開口端が、前記嵌合突部を嵌合させる方向に向かって嵌合凹部の最突出端となる位置に形成されているため、嵌合突部が球面座の開口端に当接するまでの範囲が大きく、嵌合突部を球面座の開口端に当接する位置まで自由に相対移動させることができ、嵌合凹部に対する嵌合突部の可動範囲が大きくなる。したがって、竪樋支持具を多様な傾斜角度を有する建物の外壁面に広く適用することができるという効果を奏する。
【図面の簡単な説明】
【００１０】
【図１】は、本発明の一実施形態として示した竪樋支持具を示した斜視図である。
【図２】は、本発明の一実施形態として示した竪樋支持具の竪樋保持部材を示した平面図である。
【図３】は、本発明の一実施形態として示した竪樋支持具の連結状態を拡大して示した側面図である。
【図４】は、本発明の一実施形態として示した竪樋支持具の変形例を示した斜視図である。
【図５】は、本発明の一実施形態として示した竪樋支持具の変形例の竪樋保持部材を示した平面図である。
【図６】は、従来の竪樋支持具を示した斜視図である。
【発明を実施するための形態】
【００１１】
以下、図を参照して本発明の実施形態について説明する。
図１は、本発明の一実施形態の竪樋支持具１０Ａを示した斜視図である。
図１に示すように、竪樋支持具１０Ａは、建物の外壁面Ｗと竪樋Ｔとの間に介装させて、竪樋Ｔを建物の外壁面Ｗに設置する際に用いられるものである。
【００１２】
竪樋Ｔは、雨水を流下させる筒体Ｔ１を上下方向に複数連結したものである。この筒体Ｔ１の形状は、断面円形のもののほか、断面が略矩形のもの等様々であるが、本実施形態では断面形状が円形である。
【００１３】
竪樋支持具１０Ａは、竪樋Ｔを保持する竪樋保持部材１１Ａと、竪樋保持部材１１Ａと連結し竪樋Ｔを外壁面Ｗに固定させる固定部材１２Ａとを備えている。
【００１４】
竪樋保持部材１１Ａは、塩化ビニル等の合成樹脂材料で形成された部材であり、竪樋Ｔの外周面に嵌着させ該竪樋Ｔを保持する環状のバンド部１３と、バンド部１３の外周面から水平方向に突出するよう固定された嵌合突部１４とを有している。
環状のバンド部１３は、竪樋Ｔの外周面に沿って嵌着されるよう平面視略円形に形成されている。
【００１５】
嵌合突部１４は、バンド部１３の外周面の幅方向略中央部からバンド部１３の径方向に突出した軸体１５と、軸体１５の先端に形成された球面部１６を有している。
球面部１６は、外形が略球状に形成されているとともに、軸体１５との連結部において軸体１５の周において先端方向に凹んだ湾曲凹部１７を有している。
【００１６】
図２に示すように、この嵌合突部１４及び嵌合突部１４とバンド部１３との連結部１３ａは、バンド部１３の軸線Ｌを含む仮想平面Ｍをもって二等分され、二等分された嵌合突部１４の分割体１４ａ，１４ａ同士及びバンド部１３の切断端部１３ｃ、１３ｃ同士が互いに離間接近自在で、嵌合突部１４及びバンド部１３を矢印Ｘ１，Ｘ２方向に拡開，閉口することができるようになっている。
【００１７】
図１に示すように、固定部材１２Ａは、塩化ビニル等の合成樹脂材料で形成された部材であり、建物の外壁面Ｗにビスにより取り付けられる取付部１８と、取付部１８から突出した嵌合凹部１９とを備えている。
取付部１８は、略直方体形状に形成され、取付面１８ａを外壁面Ｗに当接させた状態で、ビス（不図示）を用いて建物の外壁面Ｗに固定されるようになっている。
【００１８】
嵌合凹部１９は、取付部１８の取付面１８ａと反対側の面１８ｃの略中央部から突出する軸体２０と、軸体２０の先端に設けられた椀状部２１とを有している。
椀状部２１は、軸体２０の突出方向に直交する平面上で球面の半分未満を切断し欠落させた形状となっているとともに、その内部に軸体２０の突出方向に向かって開口する球面座２２を有している。すなわち、椀状部２１は、球形の最大膨出部から窄んだ位置で切断された形状となっている。
球面座２２は、その内壁面が嵌合突部１４の球面部１６の外形に沿う球面状に形成されており、その開口端２３が、球面座２２に嵌合させる嵌合突部１４に向かって嵌合凹部１９の最突出端となる位置に形成されている。  
【００１９】
この構成の下に、図３に示すように、球面座２２に竪樋保持部材１１Ａの嵌合突部１４を嵌合させた際に、嵌合突部１４の球面部１６が球面座２２内に納まり、嵌合凸部１４を外壁面Ｗから離脱する方向Ｙに移動させても、球面部１６の軸体１５側の端部１６ａと椀状部２１の開口端２３とが係合して容易に離脱不能となっている。
また、球面座２２の開口端２３が嵌合凹部１９の最突出端に位置するように形成されていることから、嵌合突部１４の球面部１６を球面座２２に嵌合させた際に、嵌合突部１４の球面部１６の湾曲凹部１７側に位置する仮想球面Ｓが嵌合凹部１９の椀状部２１から突出するようになっている。
【００２０】
次に、上記竪樋支持具１０Ａの使用方法について説明する。
図１に示すように、竪樋支持具１０Ａを用いて竪樋Ｔを建物の外壁面Ｗに設置するにあたっては、建物の外壁面Ｗに鉛直方向に所定の間隔をおいて固定部材１２Ａを取り付ける。固定部材１２Ａの取り付けは、取付部１８の取付面１８ａを外壁面Ｗに当接させ、不図示のビスを用いて取付部１８を外壁面Ｗに固定する。
【００２１】
そして、固定部材１２Ａが取り付けられた位置に対向する竪樋Ｔの各位置に竪樋保持部材１１Ａを取り付ける。竪樋保持部材１１Ａの取り付けは、図２に示す嵌合突部１４の分割体１４ａ，１４ａ同士を互いに矢印Ｘ１方向に移動させて離間させ、バンド部１３の連結部１３ａを拡開させ、バンド部１３の内側を竪樋Ｔに嵌着させる。その後、嵌合突部１４の分割体１４ａ，１４ａ同士を矢印Ｘ２方向に移動させて重ね合わせ一体とし、図３に示すように外壁面Ｗに固定された固定部材１２Ａの球面座２２に嵌入させる。
【００２２】
この際、球面座２２の開口端２３は、嵌合突部１４の球面部１６の嵌入に伴って漸次弾性変形して拡開し、球面部１６が完全に球面座２２に嵌入した時に弾性復帰して開口端２３を収縮させ、球面座２２に球面部１６を内包させる。これによって、バンド部１３を拡開させる分割体１４ａ，１４ａが不用意に開かないように留めおかれる。また、嵌合突部１４を球面座２２に嵌合させた際に、嵌合突部１４の湾曲凹部１７側に位置する仮想球面Ｓが嵌合凹部１９の椀状部２１から突出する。
【００２３】
このように、竪樋支持具１０Ａによれば、球面座２２の開口端２３が嵌合凹部１９の最突出端に位置するように形成されており、嵌合突部１４の球面部１６を球面座２２に嵌合させた際に、仮想球面Ｓが嵌合凹部１９の椀状部２１から突出するよう構成されている。したがって、固定部材１２Ａに対して竪樋保持部材１１Ａを変位させる場合、嵌合突部１４が球面座２２の開口端２３に当接するまでの範囲が大きく、竪樋保持部材１１Ａと固定部材１２Ａとの相対的な可動範囲が大きくなる。したがって、竪樋支持具１０Ａを多様な傾斜面を有する建物の外壁に広く適用することができるという効果を奏する。
また、竪樋保持部材１１Ａの嵌合突部１４と固定部材１２Ａの嵌合凹部１９とを角度をつけて連結させることができ、かつ角度の設定幅が大きいため、建物の外壁面Ｗと竪樋Ｔとの間の寸法調整を竪樋支持具１０Ａの前記角度の調整をもって行うことができるという有利な効果を奏する。
【００２４】
また、竪樋支持具１０Ａによれば、嵌合突部１４がバンド部１３の外面から突出するように固定され、かつバンド部１３の軸線Ｌを含む仮想平面Ｍをもって互いに離間接近自在に二等分されているため、該嵌合突部１４の位置でバンド部１３を拡開させて竪樋Ｔに簡便に装着させることができる。また、嵌合突部１４を嵌合凹部１９に嵌合させることによって、竪樋保持部材１１Ａと固定部材１２Ａとを連結させると同時に、拡開させた嵌合突部１４の各分割体１４ａ，１４ａ及びバンド部１３の切断端部１３ｃ，１３ｃを連結させることができ、竪樋支持具１０Ａの構造をシンプルにすることができるとともに、竪樋保持部材１１Ａの竪樋Ｔへの装着及び固定部材１２Ａへの連結を同時にすることができ作業効率を高めることができるという効果が得られる。
【００２５】
次に、竪樋支持具１０Ａの変形例の竪樋支持具１０Ｂについて説明する。この変形例において、上述した竪樋支持具１０Ａと同様の構成については同一の符号を付してその説明を省略し、上記実施形態と異なる構成についてのみ説明する。
図４に示すように、竪樋支持具１０Ｂは、竪樋保持部材１１Ｂのバンド部１３に嵌合凹部１９が固定され、固定部材１２Ｂの取付部１８に嵌合突部１４が固定された構成である。
そして、図５に示すように、嵌合凹部１９を二分割する代わりに、バンド部１３を拡開可能とする切断端部１３ｃ、１３ｃが嵌合凹部１９との連結部２５に臨む部分に形成されている。
【００２６】
このバンド部１３の切断端部１３ｃ，１３ｃ同士は、凹凸嵌合構造により連結されるようになっており、切断端部１３ｃ，１３ｃの一方に凹部２６を設け、これに対向する他方の切断端部１３ｃに凹部２６に嵌合させる凸部２７が形成されている。
本変形例の竪樋支持具１０Ｂにおいては、切断端部１３ｃ，１３ｃに形成された凹凸嵌合構造２６，２７の嵌合を解き又は嵌合状態にすることによってバンド部１３を開閉し、竪樋Ｔに装着，離脱できるようになっている。
【００２７】
以上のように、本実変形例による竪樋支持具１０Ｂによれば、前述した実施形態の作用効果と同様の作用効果が得られるとともに、バンド部１３が嵌合凹部１９との連結部２５に臨む部分で切断され、かつその切断端部１３ｃ，１３ｃ同士が凹凸嵌合構造２６，２７により離間結合可能とされているため、該連結部２５に臨む部分においてバンド部１３を拡開させて竪樋Ｔに容易に装着させることができる。また、凹凸嵌合構造２６，２７により、拡開させたバンド部１３の切断端部１３ｃ，１３ｃを連結することができる。
【００２８】
なお、上記竪樋支持具１０Ａ及び竪樋支持具１０Ｂは、断面円形の竪樋Ｔを支持し外壁面Ｗに固定するものであるが、本発明はこれらの構造に限られるものではなく、バンド部１３の形状を竪樋Ｔの形状に合わせて形成すれば、断面四角形の筒状の竪樋の他、これら以外の形状の竪樋に適用することも可能である。
【００２９】
また、上記竪樋支持具１０Ａ及び竪樋支持具１０Ｂの嵌合凹部１９は、外形が椀形状の椀状部２１の内部に球面座２２を形成したが、これに限定されるものではなく、開口端２３が嵌合凹部１９の最突出端に位置するものであれば、外形が直方体形状その他の形状を有するものに球面座２２を形成したものであってもよい。
【００３０】
また、竪樋支持具１０Ａ及び竪樋支持具１０Ｂの嵌合突部１４は、軸体１５の先端近傍において湾曲凹部１７を有する形状とされているが、これに限られるものではなく、略完全な球形に形成されたものであってもよい。  
【００３１】
また更に、竪樋支持具１０Ａ及び竪樋支持具１０Ｂの嵌合突部１４は、球面座２２への嵌入，離脱を容易にするために適宜凹溝を形成して球面座２２との摩擦を軽減するものであってもよく、また、嵌合突部１４が球面座２２から抜け出やすいような場合には、嵌合突部１４の球面部１６の表面にシボを形成して、球面座２２との摩擦を増加させ、抜け出し防止するようにしたものであってもよい。
【符号の説明】
【００３２】
１０Ａ，１０Ｂ  竪樋支持具
１１Ａ，１１Ｂ  竪樋保持部材
１２Ａ，１２Ｂ  固定部材
１３    バンド部
１３ｃ  切断端部
１４    嵌合突部
１９    嵌合凹部
２２    球面座
２６，２７  凹凸嵌合構造
Ｌ      軸線
Ｔ      竪樋
Ｗ      外壁面
【図１】
2013002113.tif 000003
【図２】
2013002113.tif 000004
【図３】
2013002113.tif 000005
【図４】
2013002113.tif 000006
【図５】
2013002113.tif 000007
【図６】
2013002113.tif 000008